(57)【特許請求の範囲】
【請求項１】
天板と、この天板を支持する複数本の棒状の脚と、隣合った脚を適当な高さ位置において連結する横杆とを備えており、更に、前記脚の上端と天板との間には水平状の上フレームを備えているか又は備えていない家具であって、
前記各脚は少なくとも上向きに開口する中空状に形成されている一方、前記横杆の両端部はそれぞれ脚の中空部に入り込んでおり、
前記各脚の中空部に上方から挿入した補強金具の下部と前記横杆の両端部とを一体に保持する一方、前記補強金具の上端部は、前記上フレーム又は天板に固定している、
脚装置を備えた家具。
【請求項２】
前記隣合った一対の脚の上端と天板との間には中空状で水平状に延びる上フレームが配置されており、この上フレームに、前記天板が固定されていると共に前記隣り合った脚に対する一対の補強金具が固定されており、
前記両補強金具は、前記上フレームにねじ止め等によって固定される上水平部と前記脚に入り込む縦長部とで略Ｌ字状に形成されており、
前記各脚の中空部には、前記補強金具の縦長部が横ずれ不能に嵌まる縦溝が形成されており、前記一対の補強金具のうち一方の補強金具における縦長部の下部と横杆の一端部とに、前記補強金具の縦長部を一方の脚の中空部に嵌め込むことによって互いに水平方向に離脱不能に保持される係合手段が設けられており、
前記一対の補強金具のうち他方の補強金具における縦長部の下部と横杆の他端部とに、当該他方の補強金具の縦長部を他方の脚に嵌め込むと互いに嵌合する嵌合手段を設けており、更に、他方の脚のうち横杆と反対側の部位には、横杆を引き寄せることによって当該横杆と補強金具の縦長部と脚とを共締めするねじを設けている、
請求項１に記載した脚装置を備えた家具。
【請求項３】
天板と、前記天板を支持する複数本の棒形の脚と、隣合った脚を適当な高さ位置において連結する横杆とを備えており、更に、前記脚の上端と天板との間には水平状の上フレームを備えているか又は備えていない家具であって、
前記横杆の一端部と他端部とはそれぞれ脚に嵌合しており、前記横杆の一端部は、一方の脚に対して、横杆の長手方向に抜け不能の状態で嵌合している一方、前記横杆の他端部は、当該横杆と反対側から他方の脚に挿入したねじにより、他方の脚に引き付け固定されている、
脚装置を備えた家具。
【発明の詳細な説明】
【０００１】
【発明の属する技術分野】
本発明は、棒状の脚で天板を支持している机等の家具に関するものである。
【０００２】
【従来の技術】
机（テーブル）やカウンターのように天板を備えた家具において、天板を支持する脚装置の１つの形態として、脚を棒状に形成して、複数本（一般には４本が多い）の脚で天板を支持したものがある。
【０００３】
このように脚を棒状に形成したものは、補強のために、隣合った脚を適当な高さにおいて横杆で連結することが多い。このように脚と横杆との連結構造には様々の態様がある。
【０００４】
その例として、例えば実公平７−３８７２８号公報には、脚の側面にねじ止めによって連結用ブロックを横向きに突設し、この部連結用ブロックに中空状の横杆を嵌め込むことが記載されている。
【０００５】
これと類似した構造として、実公昭３８−４７２３号公報には、脚にボルトを横方向からのねじ込みによって固定し、このボルトに中空状の横杆を外側から嵌め込み、更に、ビスで横杆をボルトに固定することが記載されている。
【０００６】
他方、実公昭４３−２２８１１号公報には、脚を中空状に形成して、その内部に横杆の端部を嵌め入れ、更に、脚の内部に嵌め入れた上下一対の挟持部材で横杆の端部を上下から挟み、この上下挟持部材をボルトで引き付けることにより、横杆を脚から抜け不能に保持することが記載されている。
【０００７】
【発明が解決しようとする課題】
実公平７−３８７２８号公報の構成では、横杆は連結ブロックに嵌まっているに過ぎないため、高い連結強度を期待できないという問題がある。
【０００８】
また、実公昭３８−４７２３号公報の構成では、横杆とボルトとは強固に締結されるが、ボルトは脚にねじ込んだものに過ぎないため、スチール製や押し出し加工品製の中空脚に使用すると、脚の肉厚が薄いため、ボルトを脚に対して強固に取付けることができず、これまた、横杆と脚との連結強度を向上できない虞があった。
【０００９】
他方、実公昭４３−２２８１１号公報のものは、横杆を脚から抜け不能に保持することはできても、脚と横杆を互いに密着した状態に保持する機能は弱いため、ガタ付きが生じやすいという問題があった。
【００１０】
結局、従来のものは、横杆の端部を、脚のうち横杆の端部が連結される狭い部分にどうやって固定するかという点に注意を払っているに過ぎず、このために様々の問題が生じていたと言える。
【００１１】
本願発明は、このような現状を改善することを課題とするものである。
【００１２】
【課題を解決するための手段】
本願発明の家具は、基本構成として、天板と、この天板を支持する複数本の棒状の脚と、隣合った脚を適当な高さ位置において連結する横杆とを備えており、更に、前記脚の上端と天板との間には水平状の上フレームを備えているか又は備えていない。
【００１３】
そして、請求項１の発明では、前記各脚は少なくとも上向きに開口する中空状に形成されている一方、前記横杆の両端部はそれぞれ脚の中空部に入り込んでおり、前記各脚の中空部に上方から挿入した補強金具の下部と前記横杆の両端部とを一体に保持する一方、前記補強金具の上端部は、前記上フレーム又は天板に固定している。
【００１４】
請求項２の発明では、請求項１において、前記隣合った一対の脚の上端と天板との間には中空状で水平状に延びる上フレームが配置されており、この上フレームに、前記天板が固定されていると共に前記隣り合った脚に対する一対の補強金具が固定されており、前記両補強金具は、前記上フレームにねじ止め等によって固定される上水平部と前記脚に入り込む縦長部とで略Ｌ字状に形成されている。
【００１５】
前記各脚の中空部には、前記補強金具の縦長部が横ずれ不能に嵌まる縦溝が形成されており、前記一対の補強金具のうち一方の補強金具における縦長部の下部と横杆の一端部とに、前記補強金具の縦長部を一方の脚の中空部に嵌め込むことによって互いに水平方向に離脱不能に保持される係合手段が設けられている。
【００１６】
更に、前記一対の補強金具のうち他方の補強金具における縦長部の下部と横杆の他端部とに、当該他方の補強金具の縦長部を他方の脚に嵌め込むと互いに嵌合する嵌合手段を設けており、更に、他方の脚のうち横杆と反対側の部位には、横杆を引き寄せることによって当該横杆と補強金具の縦長部と脚とを共締めするねじを設けている。
【００１７】
請求項３の発明は、請求項１と同様の基本構成において、前記横杆の一端部と他端部とはそれぞれ脚に嵌合しており、前記横杆の一端部は、一方の脚に対して、横杆の長手方向に抜け不能の状態で嵌合している一方、前記横杆の他端部は、当該横杆と反対側から他方の脚に挿入したねじにより、他方の脚に引き付け固定されている。
【００１８】
【発明の作用・効果】
本発明によると、横杆と補強金具とが一種の補強フレームを構成するため、棒状の脚を備えた家具であっても、全体として頑丈な構造にすることができる。また、補強金具は脚の内部に隠れているため、美感を損なうこともない。
【００１９】
請求項２のように構成すると、Ｌ形の補強金具によって脚が強固に補強されるため、補強機能をより一層向上させて家具を頑丈な構造にすることができる。また、他方の脚に貫通させたねじの締め込みによって横杆の締結を行うものであるため、締結作業が楽である点でも優れている。
【００２０】
【発明の実施形態】
次に、本発明の実施形態を図面に基づいて説明する。本発明は家具の一例としての机（テーブル）に適用している。
【００２１】
(1).第１実施形態（図１〜図５）
図１〜図５では第１実施形態を示している。図１は机の斜視図、図２は側面図、図３は上フレーム（サイドフレーム）の部分斜視図、図４のうち（Ａ）は部材の分離側面図、（Ｂ）は分離正断面図、（Ｃ）は部材の部分的な斜視図、図５のうち（Ａ）は図２の V-V視断面図、（Ｂ）は（Ａ）のＢ−Ｂ視断面図である。
【００２２】
机は、天板１と左右の脚２とを備えており、脚２は、前後２本の棒状脚３とその上端間に連結された上フレーム４とで側面視門形に形成されている。上フレーム４は押し出し加工品であり、図３に示すように、下部には幅狭の突部４ａが形成されている。また、内部には２枚の水平板４ｂがあり、両水平板の間が溝５になっている。
【００２３】
図３に符号６で示すのは天板１を固定するための受け具である。この点は後述する。
【００２４】
上フレーム４の左右端部と脚３の上端部とは、互いに嵌合するように切欠かれている。図面では省略しているが、上フレーム４はねじで脚３に固定されている。
【００２５】
前後の脚３は、軽金属の押し出し加工によって平断面略涙滴状で中空状に形成されており、前後対称に配置されている。そして、前後脚４の上下中途高さ部位は横杆７によって連結されている。
【００２６】
脚３は平面視涙滴状でかつ中空に形成されており、この脚３のうち平面視で曲率の大きい曲面部には、外向き蟻溝８が形成されている。この外向き蟻溝８に、帯板９を落下不能に嵌め込んで、この帯板９に設けた突起１０で幕板１１を支持するようになっている。
【００２７】
また、脚３の内部には、当該脚３の内部を横切る方向に延びる縦溝（内向き蟻溝）１２が形成されており、この縦溝１２に、側面視Ｌ形に形成された補強金具１３の縦長部１３ａが嵌合している。図４に示すように、補強金具１３の水平部１３ｂは上フレーム４の溝８に嵌入しており、ねじ１４で上フレーム４に固定されている。
【００２８】
横杆７は押し出し加工によって略矩形の中空状に形成されており、その内部には円弧状の長溝１５が形成されている。他方、前後の脚３には、横杆７の端部が嵌合する切欠き１６が形成されている。
【００２９】
前記補強金具１３の下端は、係合手段の一環として、横杆７の左右幅寸法よりも小さい間隔の切り開き溝１７を下向き開口するように形成することによって二股部１８となっている一方、横杆７の手前側の端部には、係合手段の一環として、補強金具１３の二股部１８が前後ずれ不能に嵌まる係合溝１９が形成され、横杆１３の後ろ側の端部は、補強金具１３の二股部１８が前後動可能に嵌まる細幅部２０に形成されている。
【００３０】
そして、後部の脚３のうち縦溝１２の箇所に貫通した穴を介して、ねじ２１を横杆７の長溝１５にねじ込んでいる。この場合、横杆７の前端部は前部の脚３に嵌まった補強金具１３に係合しているため、横杆７は前部の脚３から抜け不能に保持されており、従って、１本のねじ２１を締め込むだけで、横杆７で前後の棒状脚３を連結することができる。
【００３１】
また、補強金具１３は上フレーム４に固定されており、かつ、縦長部１３ａはそれぞれ脚３の長溝１５に横向きずれ不能に嵌まっているため、補強金具１３によって脚３が補強されており、その結果、１本のねじ２１の締め込みにより、前後の脚３を上フレーム４に対して強固に取付けることができる。
【００３２】
また、前後の補強金具１３と横杆７とが互いに連結されていていわば補強フレームのような役割を果たしており、この点からも、脚３の取付け強度を向上できる。
【００３３】
前後の脚３にねじ２１を貫通させることも可能ではあるが、本例では、人目につかない後部の脚３の後面にねじ２１の頭が露出しているに過ぎないため、美感の悪化を防止できる点で優れている。
【００３４】
本実施形態（及び第２実施形態）のように、補強金具１３の水平部１３ｂを上フレーム４の溝５に嵌め込むと、フレーム４と補強金具１３との一体性が向上するため、全体の剛性を高くして脚３の取付け強度をより向上できる利点である。
【００３５】
(2).第２実施形態（図６〜図８）
図６〜図８では第２実施形態を示している。この実施形態も基本的には第１実施形態と同じあるが、まず、補強金具１３の水平部１３ｂと縦長部１３ａとが別部材を溶接することによって製造されている点で第１実施形態と相違している。
【００３６】
また、横杆７の一端部に一対の係合溝１９を形成するにおいて、一方の係合溝１９を鉛直線に対して若干の角度で傾斜させている。傾斜方向は、係合溝１９の上端が机の手前側に位置し、下端が机の奥側に位置する傾斜である。
【００３７】
係合溝１９をこのように傾斜させると、補強金具１３の二股部１８の差し込みがスムースになり、しかも、ねじ２１のねじ込みによる横杆７の引き寄せによって二股部１８を変形させて強く引っ張ることができるため、連結強度を向上できる利点がある。本実施形態では片方の係合溝１９だけを傾斜させているが、両方の係合溝１９を傾斜させるとなお良い。傾斜方向は逆でも良い。
【００３８】
本実施形態では、手前側の脚３と上フレーム４とは補助金具２２によって連結されている。このため、脚３の取付け強度を一層向上させることができる。
【００３９】
(3).変形例
上記の両実施形態では、前部の補強金具と横杆との係合手段として二股部１８と係合溝１９とを形成したが、横杆７に上下に貫通する穴を空ける一方、補強金具１３の縦長部１３ａに、前記穴に嵌まる細巾部を形成するなどしても良い。
【００４０】
本願発明は、前後の脚を連結することのみならず、左右の後部脚を連結することにも適用できる。また、５本以上の脚を備えている家具にも適用できることはいうまでもない。
【００４１】
(4).天板の固定及びサイドパネルの取付け構造
図９に一点鎖線で示すように、サイドパネル２４を取付けることがある。そこで次に、このサイドパネル２４の取付け構造と天板１の固定方法とを、図９〜図１８に基づいて説明する。
【００４２】
図１０は要部の分離斜視図、図１１は図９のXI−XI視断面図、図１２は図１１のXII-XII 視断面図、図１３は一部破断平面図、図１４はサイドパネル２４を取付けない場合の縦断正面図、図１５は部分平面図、図１６は図１５の XVI-XVI視断面図、図１７は第２キャップの底面図、図１８は図１５の XVIII-XVIII視断面図である。
【００４３】
なお、この例では、複数の机を左右に並設しており、かつ、両机にはそれぞれバックパネル２５を取付けると共に、隣合った机に跨がった状態でサイドパネル２４を配置している。
【００４４】
(4)-1 ．天板の取付け
まず、天板１の取付けについて説明する。ここでは、天板１の前部の固定方法を説明する（後部の固定方法も同じである）。
【００４５】
天板１の左右両側部には、上フレーム４と平面視で重なる前後一対ずつの取付け穴２６が空いている。そして、例えば図１１に示すように、天板１の取付け穴２６のうち表面側と裏面側とは大径部２６ａになっている。
【００４６】
天板１の取付け穴２６にはボス体２８が嵌まっており、このボス体２８には、取付け穴２６の大径部２６ａに対応したフランジ２８ａが形成されている。
【００４７】
また、ボス体２８のうちフランジ２８ａを設けている側には、ねじ２９の頭が嵌まる凹所２８ｂが形成されている。更に、凹所２８ｂには環状溝２８ｃが形成されている。
【００４８】
受け具６は左右一対の係止爪３１とを備えている。また、ボス体２８の下端部が嵌まる筒部３２を備えている。図１１に示すように、筒部３２は天板１における取付け穴２６の大径部２６ａに嵌まっている。
【００４９】
受け具６は上フレーム４に載っており、また、上フレーム４の上板４ｂには、係止爪３１が係合する左右一対の係合穴３３を形成している。また、上フレーム４には、締結用のねじ２９がねじ込まれるタップ穴を形成している。
【００５０】
机にサイドパネル２４を取付ける場合は、受け金具３５が使用される。この受け具３５は、ボス体２８の凹所２８ａに嵌入すると共に皿頭のねじ２９が嵌まる下窄まりのテーパ部３５ａと、サイドパネル２４が載る受け部３５ｂとを備えており、受け部３５ｂには、皿頭のビスが下方から嵌まる３個のねじ挿入穴３６を空けている。
【００５１】
受け部３５ｂは天板１の外側にはみ出るように形成されており、ねじ挿入穴３６は、平面視で天板１の側面に沿って延びている。図１１から理解できるように、ねじ２９を上フレーム４にねじ込むと、天板１は上フレーム４に強固に締結される。
【００５２】
この場合、ボス体２８のフランジ２８ａが取付け穴２６の大径部２６ａに嵌まっているため、天板１を掴んで持ち上げても、ボス体２８が抜けることはなく、机を持ち上げることができる。
【００５３】
サイドパネル２４を取付けない場合は、図１４に示すように、ボス体２８は第１第１キャップ３７で塞がれる。なお、天板１はねじ止め等によって上フレーム４に固定しても良いことは言うまでもない。
【００５４】
(4)-2.サイドパネルの取付け
図１１〜１２に示すように、サイドパネル２４は、前後一対の支柱（縦フレーム）３８と、上端を構成する笠木（上フレーム）３９と、下端を構成する巾木（下フレーム）４０とで骨組みが構成されており、この骨組みの内側に、板材４１配置している。板材４１は、例えば、インシュレータのようなピンナップ性を備えた軟質材製として、その表面にクロスを張っても良い。
【００５５】
また、支柱３８のうちハート形の部分には、Ｌ形補強板４４の垂直部が嵌合する第１蟻溝４５と、平面視で斜め側方に開口した２条の第２蟻溝４６と，平面視でサイドパネル２４の長手中心線に沿って外向き開口する第３蟻溝４７とが形成されている。Ｌ形補強板４４に受け金具３５をねじ４８で締結している。
【００５６】
また、支柱３８のうちハート形の部分には、Ｌ形補強板４４の垂直部が嵌合する第１蟻溝４５と、平面視で斜め側方に開口した２条の外２蟻溝４６と，平面視でサイドパネル２４の長手中心線に沿って外向き開口する第３蟻溝４７とが形成されている。Ｌ形補強板４４に受け金具３５をねじ４８で締結している。
【００５７】
支柱３８の下端には、当該支柱３８よりもやや広巾の受け座４９を嵌着している。また、巾木４０は、受け金具３５と干渉しないように切欠かれている。
【００５８】
受け金具３５の下面には、天板１の傷付きを防止するため、ゴムのような軟質材からなるシール材５０を重ねている。シール材５０は単に重ねただけでも良いし、接着剤で受け金具３５に接着しておいても良い。
【００５９】
サイドパネル２４を使用する場合は、前記受け金具３５の露出部は第２キャップ５１で塞がれる。第２キャップ５１は、その前後両端に設けた爪５２を、受け金具３５に形成した段部５３に係脱させることにより、受け金具３５に対して着脱させるようになっている。
【００６０】
また、第２キャップ５１のずれ防止のため、当該第２キャップ５１のうちサイドパネル２４から離れた端部の内部には内向き突部５４を形成する一方、受け金具３５には、前途内向き突部５４が嵌まる切欠き５５を形成している。
【００６１】
更に、例えば図１６に示すように、第２キャップ５１の高さを高くすることにより、当該第２キャップ５１の内部に第１キャップ３７を収納できるようにしている。このため、サイドパネル２４を使用しているときに第１キャップ３７を紛失することを防止できる。
【００６２】
このように受け具６を介して天板１を上フレーム４に固定する机に本願発明を適用すると、先に補強金具１３を使用して脚装置２を組み立ててから天板１を固定できるため、組み立て作業が簡単である。
【００６３】
また、天板１は裏返して使用することができるが（すなわちリバーシブルであるが）、この場合、受け具６を使用した固定方法では天板１は机の強度アップにあまり貢献していないが、補強金具１３によって脚装置２が頑丈な構造になるため、天板１を簡単に裏返したり交換したりできる机でありながら、堅牢を構造とすることができる。
【００６４】
(5).机の基本的骨組み構造（図19〜図27）
キャビネットの設置やブリッジ天板の取付けについて後述するが、その説明の便宜のため、図１９〜図２７で机の他の構造について説明する。なお、これらの図で脚３は板状になっているが、本願発明の対象である棒状の脚であっても良いことは言うまでもない。
【００６５】
図１９は机の概略斜視図であり、２つの机を左右に離れて配置し、その間にキャビッネト５７を配置し、更に、キャビネット５７で補助天板５８を支持している。
【００６６】
図２０は部分的な平面図、図２１は天板１の取付け構造を示す斜視図、図２４のうち（Ａ）は分離側面図、（Ｂ）は（Ａ）のＢ−Ｂ視断面図、図２３は継手の斜視図、図２４のうち（Ａ）は継手５と上フレーム４との分離平面図、（Ｂ）は上フレーム４を継手５に固定した状態でのＢ−Ｂ視断面図、図２５のうち（Ａ）はコーナーキャップを裏返した状態の斜視図、（Ｂ）はコーナーキャップ１１を装着した状態での図２３の XXV-XXV視断面図、図２６は幕板の端部の斜視図、図２７のうち（Ａ）は図２０の XXVII-XXVII視断面図、（Ｂ）は幕板の多分平面図である。
【００６７】
本例では上フレーム４は金属板で上向き開口の樋状に形成している。そして、図２１に示すように、天板１を固定するための受け具６は、上フレーム４に溶接等によって固定されたブラケット５９に取付けられる。
【００６８】
(5)-1.継手
天板１の左右両端部の後部下方には、アルミのような軽合金からなるブロック状の継手６０を配置しており、この継手６０を使用して骨組みが構成されている。この点をまず説明する。
【００６９】
継手６０は、平面視で略四角形の基部６１と、基部６１から前方及び横方向に延びるサイド突起部６２と、平面視で対角方向に延びるセンター突起部６３と、基部６１のうちセンター突起部６３と反対側のコーナー部に立設した上向き筒状部６４とを備えている。
【００７０】
センター突起部６３の先端には、左右外向きの張り出し部６３ａを設けている。また、上向き筒状部６４には、平面視でセンター突起部６３の中心線を挟んだ両側に振り分けたような形態になって、平面視で全体として８字状になっている。上向き筒状部６４は、バックパネルの左右両端に設けた足を差し込むためのものである。
【００７１】
上向き筒状部６４はコーナーキャップ６５で覆われている。また、継手６０は平面視で対角方向に延びる線を挟んで対称に形成されている。従って、１種類の継手６０を左右いずれの部位にも使用できる。
【００７２】
継手６０におけるセンター突起部６３の張り出し部６３ａには、中空角形やＣ字状等の連結ビーム６６が嵌まるようになっており、この連結ビーム１２をねじで張り出し部８ａに固定することにより、隣合った継手６０を連結できる。
【００７３】
継手６０のサイド突起部６２における中間部には、当該サイド突起部６２を抉るような状態で切欠溝６７が形成されており、この切欠溝６７の箇所と先端のコーナー部とに、下向きに開口の係合段部６８が形成されている。また、サイド突起部６２の先端寄り部位には、中心線に沿った部位とその内側とに端部ねじ穴６９が空いている。
【００７４】
袖キャビネット２と天板１との間には前後方向に延びる上フレーム４が配置されており、上フレーム４の後部に継手６０のサイド突起部６２が下方から嵌まっている。
【００７５】
上フレーム４の後部には補強板１７が溶接によって固着されており、この補強板１７に継手６０のサイド突起部６２が上方から嵌まっている。補強板１７は下方からねじ込んだねじで継手６０のサイド突起部６２に固定されている。継手６０の下面には、上フレーム４の後部の壁が嵌合する溝が形成されており、これによって正確に位置決めされている。
【００７６】
また、継手６０のうち対角線に沿って延びる部位に段付きの突起７０を設けている。他方、コーナーキャップ６５には、前記突起７０に嵌合する筒部７１を下向きに突設している。これにより、コーナーキャップ６５の安定性を飛躍的に向上できる。
【００７７】
また、コーナーキャップ６５のうち角部寄りの部位には爪７２を下向きに突設し、この爪７２を、継手６０における上向き筒状部６４の背面に形成した係合段部７３に係合させている。このため、コーナーキャップ６５は簡単に外れることはない。また、コーナーキャップ６５には、継手６０の上向き筒状部６４の前面に当たるストッパー７４と、補強用リブ７５とを形成している。
【００７８】
図２４に示すように、上フレーム４の後部にはリアブラケット７６を溶接によって固定している。このリアブラケット７６は、天板１の取付けと、継手６０への固定との機能を兼用している。
【００７９】
また、継手６０は後ろ向きに長く延びており、これに、サイド突起部６２に下方から嵌合する段違い状支持部７７を形成しており、この段違い状支持部７７に、２本のねじ７８で継手６０のサイド突起部６２を締結している。
【００８０】
図２２（Ｂ）に示すように、脚２の本体部は中空状に形成されており、上フレーム４は、脚２の中空部に上方から嵌合しており、両者は溶接によって一体に固定されている。
【００８１】
(5)-2.幕板
机の背面には幕板１１を配置している。図２６及び図２７に示すように、幕板１１の上端には角形部９ａが折曲げ形成されており、左右側部には平面視鋭角状の折り返し部９ｂが形成されている。角形部９ａには下向き開口の上カバー８１が嵌め込み装着されている。図示していないが、幕板１１には横長の補強金具を装着している。
【００８２】
上カバー８１を角形部４ａに装着するに当たっては、上カバー８１に切り起こし形成した爪８２を、角形部９ａに形成した係合穴８３に嵌め込んでいる。図２７（Ｂ）に示すように、角形部９ａと天板１との間にはある程度の空間が空いており、この空間の下方に配線受け樋８４を配置している。配線受け樋８４は左右の継手６０又は幕板１１に固定されている。
【００８３】
そして、角形部９ａと上カバー８１とには、前向きに開口した窓穴８５が左右適宜間隔で多数形成されており、この窓穴８５に弾性的に係合した合成樹脂製の支持具８６に受け樋カバー８７を装着している。
【００８４】
受け樋カバー８７は適当な長さに設定されており、任意の受け樋カバー８７を取り外すことによって、配線作業を行える。
【００８５】
幕板１１の角形部９ａと上カバー８１との端部には、継手６０の上向き筒状部６４と干渉しないように切り欠き８８が形成されている。上カバー８１はコーナーキャップ６５の箇所まで延長されており、その先端部に、コーナーキャップ６５が重なる段違い部８１ａを形成している。
【００８６】
図２６に示すように、幕板１１の左右折り返し部１１ｂには、ダルマ型穴８９を上下適宜間隔で形成している。他方、脚３の後部は中空状の部材からなっており、この部材に設けた帯板９に設けた突起１０に、前記ダルマ穴８９を嵌め込むようになっている。
【００８７】
(6).キャビネットの並設
先に少し触れたが、左右の机の間にキャビネット５７を配置して更に補強天板５８を設ける場合の例を、図２８〜３６に基づいて説明する。
【００８８】
図２８は平面図、図２９は斜視図、図３０は平面図、図３１は図３０のXXXI-XXXI 視断面図、図３３は図３０のXXXII-XXXII 視断面図、図３３は図３０のXXXIII-XXXIII 視断面図、図３４は分離平面図、図３５は部分的な斜視図、図３６は部材の部分的な斜視図である。
【００８９】
本実施形態のキャビネット５７は引き戸式になっているが、水平回動式扉のタイプとしてもよい。もちろん、引き出しタイプとすることも可能である。更に、引き出しと引き戸又は開き戸を並設するなどしても良い。更には、扉を備えていないオープン方式とすることも可能である。
【００９０】
補強天板５８は、適当な個数のスペーサ９１で支持されている。このため、キャビネット５７と補強天板５８との間には空間があいている。図３１に示すように、スペーサ９１を貫通させてキャビネット５７の内部からねじ９２を補強天板５８にねじ込むことにより、補強天板５８を固定している。なお、図３１に示すように、スペーサ９１を補強天板５８に入り込ませても良い。
【００９１】
キャビネット５７の転倒を防止するため、図３２に示すように、補強天板５８の縁部に、机の天板１の下面まで延びる転倒防止板９３をねじ止めによって固定している。机における天板１と上フレーム４との間に隙間が空いているため、転倒防止板９３は上フレーム４の上方まで入り込ませこともできる。
【００９２】
図３３に示すように、補強天板５８の後方には、配線機能を有するバックカバー９４を配置している。バックカバー９４は、既述した幕板１１の上部と同じ構造のインナー部材９５とこれに被嵌した上カバー８１とから成っており、インナー部材９５に水平片９５ａを設けて、これをキャビネット５７にねじ止めしている。キャビネット５７と補強天板５８との間に空間があいているため、このように広い配線空間を確保することができる。
【００９３】
キャビネット５７の後端縁の左右両コーナー部には、補強継手９６をねじ止めによって固定している。補助継手９６は基本的には既述した継手６０と同じで、センター突起部６３を備えていない点で相違しているだけである。
【００９４】
そして、この補強継手９６に幕板１１の端部をねじ止めしている。また、補助継手９６にもキャップ６５を装着している。更に、キャビネット５７に補助継手９６を設けたことにより、補強天板５８の箇所にもバックパネルを取付けることができる。
【００９５】
(7).ブリッジ天板の取付け（図37〜図46）
図３７〜図４６では、左右に間隔を空けて設置した机の間にブリッジ天板９７を配置する場合の構造の一例を表している。
【００９６】
図３７は正面図、図３８は部分斜視図、図３９は手前側の平面図、図４０は図３９のXXXX-XXXX 視断面図、図４１は手前側の連結を示す斜視図、図４２は後部の連結構造を説明するための平面図、図４３は同じく後部の連結構造を説明するための分離平面図、図４４は同じく後部の連結構造を説明するための分離斜視図、図４５は同じく後部の連結を示す平面図、図４６は幕板１１の取付けを示す斜視図である。
【００９７】
ブリッジ天板９７の手前側の下面には、図３９〜図４１に示すように、机の天板１と上フレーム４との間に挿入された上金具９８とこれに重なった下金具９９とを補強天板５８にねじ１００で固定している。上金具９８には上フレーム４の内側面に当たる折曲げ部９８ａを形成し、下金具９９には、上フレーム４の外側面に当たる下向き片９９ａを形成している。このため、補強天板５８は机に対して左右ずれ不能でかつ同じ高さに保持される。
【００９８】
図４２〜図４４に示すように、机における継手６０には、上下一対の金具１０１，１０２を介して継手６０がねじ１０３で固定されている。また、ブリッジ天板９７用の継手６０の下面には幕板支持用ブラケット１０４がねじ１０５で固定されている。更に、左右のブリッジ天板用の継手６０のセンター突起部６３にはビーム６６が固定されており、このビーム６６にブリッジ天板９７が固定されている。
【００９９】
図示していないが、ビーム６６には高さの高い部位があり、これにより、ブリッジ天板９７の高さを机の天板１と高さに揃えている。
【０１００】
幕板用ブラケット１０４は平断面Ｌ字状に形成されており、その背面に、幕板１１を取付けるための頭付き突起１０を突設している。また、ブリッジ天板９７の後方に配置した幕板１１の左右端部は継手６０にねじで固定されており、幕板１１には上カバー８１を取付けている。図示していないが、ブリッジ天板９７の箇所にも配線樋を設けている。
【０１０１】
ブリッジ天板９７の箇所にも継手６０を設けているため、ブリッジ天板９７の後部にはバックパネルを取付けることができる。また、同一種類の継手６０を使用してブリッジ天板９７を取付けできるため、それだけコストを抑制できる共に、幕板１１やバックパネルなどを揃えて配置できる利点である。
【図面の簡単な説明】
【図１】第１実施形態に係る机の斜視図である。
【図２】側面図である。
【図３】上フレームの部分斜視図である。
【図４】（Ａ）は部材の分離側面図、（Ｂ）は分離正断面図、（Ｃ）は部材の部分的な斜視図である。
【図５】（Ａ）は図２の V-V視断面図、（Ｂ）は（Ａ）のＢ−Ｂ視断面図である。
【図６】第２実施形態を示す図である。
【図７】分離側面図である。
【図８】平面図である。
【図９】第２実施形態の斜視図である。
【図１０】他の部分の構造を示す要部の分離斜視図である。
【図１１】図９のXI−XI視断面図である。
【図１２】図１１のXII-XII 視断面図である。
【図１３】一部破断平面図である。
【図１４】サイドパネルを取付けない場合の縦断正面図である。
【図１５】サイドパネルを取付けた状態での部分平面図である。
【図１６】図１５の XVI-XVI視断面図である。
【図１７】第２キャップの底面図である。
【図１８】図１５の XVIII-XVIII視断面図である。
【図１９】他の構造の机の概略斜視図である。
【図２０】部分的な平面図である。
【図２１】天板の取付け構造を示す斜視図である。
【図２２】（Ａ）は分離側面図、（Ｂ）は（Ａ）のＢ−Ｂ視断面図である。
【図２３】継手の斜視図である。
【図２４】（Ａ）は継手５と上フレーム４との分離平面図、（Ｂ）は上フレーム４を継手５に固定した状態でのＢ−Ｂ視断面図である。
【図２５】（Ａ）はコーナーキャップを裏返した状態の斜視図、（Ｂ）はコーナーキャップ１１を装着した状態での図２３の XXV-XXV視断面図である。
【図２６】幕板の端部の斜視図である。
【図２７】（Ａ）は図２０の XXVII-XXVII視断面図、（Ｂ）は幕板の部分平面図である。
【図２８】キャビネットを並設した状態の平面図である。
【図２９】キャビネットを並設した斜視図である。
【図３０】キャビネットを並設した部分平面図である。
【図３１】図３０のXXXI-XXXI 視断面図である。
【図３２】図３０のXXXII-XXXII 視断面図である。
【図３３】図３０のXXXIII-XXXIII 視断面図である。
【図３４】分離平面図である。
【図３５】部分的な斜視図である。
【図３６】バックカバーの部分的な斜視図である。
【図３７】ブリッジ天板９７を取り付けた状態での正面図である。
【図３８】部分斜視図である。
【図３９】手前側の平面図である。
【図４０】図３９のXXXX-XXXX 視断面図である。
【図４１】手前側の連結を示す斜視図である。
【図４２】後部の連結構造を説明するための平面図である。
【図４３】後部の連結構造を説明するための分離平面図である。
【図４４】後部の連結構造を説明するための分離斜視図である。
【図４５】後部の連結を示す平面図である。
【図４６】幕板の取付けを示す斜視図である。
【符号の説明】
１  天板
２  脚装置
３  脚（棒状脚）
４  上フレーム
７  横杆
９  幕板
１２  脚の縦溝
１３  補強金具
１３ａ  縦長部
１３ｂ  上水平部
１６  横杆の端部が嵌合する切欠き
１８  係合手段としての二股部
１９  係合手段としての係合溝
２０  細巾部
２１  ねじ
【図１】
0003863451.tif 000002
【図２】
0003863451.tif 000003
【図３】
0003863451.tif 000004
【図４】
0003863451.tif 000005
【図５】
0003863451.tif 000006
【図６】
0003863451.tif 000007
【図７】
0003863451.tif 000008
【図８】
0003863451.tif 000009
【図９】
0003863451.tif 000010
【図１０】
0003863451.tif 000011
【図１１】
0003863451.tif 000012
【図１２】
0003863451.tif 000013
【図１３】
0003863451.tif 000014
【図１４】
0003863451.tif 000015
【図１５】
0003863451.tif 000016
【図１６】
0003863451.tif 000017
【図１７】
0003863451.tif 000018
【図１８】
0003863451.tif 000019
【図１９】
0003863451.tif 000020
【図２０】
0003863451.tif 000021
【図２１】
0003863451.tif 000022
【図２２】
0003863451.tif 000023
【図２３】
0003863451.tif 000024
【図２４】
0003863451.tif 000025
【図２５】
0003863451.tif 000026
【図２６】
0003863451.tif 000027
【図２７】
0003863451.tif 000028
【図２８】
0003863451.tif 000029
【図２９】
0003863451.tif 000030
【図３０】
0003863451.tif 000031
【図３１】
0003863451.tif 000032
【図３２】
0003863451.tif 000033
【図３３】
0003863451.tif 000034
【図３４】
0003863451.tif 000035
【図３５】
0003863451.tif 000036
【図３６】
0003863451.tif 000037
【図３７】
0003863451.tif 000038
【図３８】
0003863451.tif 000039
【図３９】
0003863451.tif 000040
【図４０】
0003863451.tif 000041
【図４１】
0003863451.tif 000042
【図４２】
0003863451.tif 000043
【図４３】
0003863451.tif 000044
【図４４】
0003863451.tif 000045
【図４５】
0003863451.tif 000046
【図４６】
0003863451.tif 000047